【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
少なくとも、発光素子と、ドレイン・ソース間に駆動電圧が印加されることで上記発光素子に対してゲート・ソース間に与えられた信号値に応じた電流印加を行う駆動トランジスタと、上記駆動トランジスタのゲート・ソース間に接続され入力された信号値を保持する保持容量とを有する画素回路の駆動方法として、
非発光期間と発光期間とから成る１サイクルの発光動作期間に、
上記発光素子の発光動作を終了させる第１ステップと、
上記駆動トランジスタのゲートを所定電位に固定し、上記駆動トランジスタのドレイン・ソース間に駆動電圧を印加して、上記駆動トランジスタのゲート・ソース間電圧を初期化する第２ステップと、
上記駆動トランジスタのゲート電位の固定を解除し、また上記駆動トランジスタのドレイン・ソース間への駆動電圧印加を終了させて、上記ゲート・ソース間電圧の初期化状態を維持する第３ステップと、
上記駆動トランジスタのゲートを基準電位に固定し、上記駆動トランジスタのドレイン・ソース間に駆動電圧を印加して、上記駆動トランジスタのゲート・ソース間電圧が、上記駆動トランジスタの閾値電圧となるように閾値補正を行う第４ステップと、
上記保持容量に信号値としての電圧を与えるとともに、上記駆動トランジスタの移動度補正動作を実行させる第５ステップと、
上記信号値が反映された駆動トランジスタのゲート・ソース間電圧に応じた電流を上記発光素子に流して、上記信号値に応じた輝度による上記発光素子の発光が実行させる第６ステップと、
を行う画素回路の駆動方法。
【請求項２】
上記第２ステップでは、上記駆動トランジスタのゲートを所定電位に固定したうえで、上記駆動トランジスタのドレイン・ソース間に駆動電圧を印加して、上記駆動トランジスタのゲート・ソース間電圧が、上記駆動トランジスタの閾値電圧となるように初期化する請求項１に記載の画素回路の駆動方法。
【請求項３】
上記第２ステップで上記駆動トランジスタのゲートを固定する上記所定電位は、上記第４ステップで上記駆動トランジスタのゲートを固定する上記基準電位と同電位である請求項２に記載の画素回路の駆動方法。
【請求項４】
上記第１ステップでは、上記駆動トランジスタのドレイン・ソース間への駆動電圧印加を終了させることで、上記発光素子の発光動作を終了させる請求項１に記載の画素回路の駆動方法。
【請求項５】
上記第１ステップでは、上記駆動トランジスタのゲート・ソース間電圧を閾値電圧未満とすることで、上記発光素子の発光動作を終了させ、その後、上記駆動トランジスタのドレイン・ソース間への駆動電圧印加を終了させる請求項１に記載の画素回路の駆動方法。
【請求項６】
少なくとも、発光素子と、ドレイン・ソース間に駆動電圧が印加されることで上記発光素子に対してゲート・ソース間に与えられた信号値に応じた電流印加を行う駆動トランジスタと、上記駆動トランジスタのゲート・ソース間に接続され入力された信号値を保持する保持容量とを有する画素回路が、マトリクス状に配置された画素アレイと、
上記画素アレイの各画素回路の上記保持容量に信号値を与えて、各画素回路の発光素子に信号値に応じた輝度の発光を行わせる発光駆動部と、
を備え、
上記発光駆動部は、上記画素回路に、非発光期間と発光期間とから成る１サイクルの発光動作として、
上記発光素子の発光動作を終了させ、
上記駆動トランジスタのゲートを所定電位に固定し、上記駆動トランジスタのドレイン・ソース間に駆動電圧を印加して、上記駆動トランジスタのゲート・ソース間電圧を初期化し、
上記駆動トランジスタのゲート電位の固定を解除し、また上記駆動トランジスタのドレイン・ソース間への駆動電圧印加を終了させて、上記ゲート・ソース間電圧の初期化状態を維持させ、
上記駆動トランジスタのゲートを上記基準電位に固定し、上記駆動トランジスタのドレイン・ソース間に駆動電圧を印加して、上記駆動トランジスタのゲート・ソース間電圧が、上記駆動トランジスタの閾値電圧となるように閾値補正を行わせ、
上記保持容量に信号値としての電圧を与えるとともに、上記駆動トランジスタの移動度補正動作を実行させ、
上記信号値が反映された駆動トランジスタのゲート・ソース間電圧に応じた電流を上記発光素子に流して、上記信号値に応じた輝度による上記発光素子の発光を実行させる表示装置。
【手続補正２】
【補正対象書類名】明細書
【補正対象項目名】００１０
【補正方法】変更
【補正の内容】
【００１０】
ところが、このように駆動トランジスタＴｄをｎチャネルＴＦＴに置き換えた場合は、ソースが有機ＥＬ素子１に接続されてしまうため、図１２（ｂ）に示したような有機ＥＬ素子１の経時変化とともにゲート・ソース間電圧Ｖｇｓが変化してしまう。これにより、有機ＥＬ素子１に流れる電流量が変化し、その結果発光輝度は変化してしまう。つまり適切な階調制御ができなくなる。
また、アクティブマトリクス型の有機ＥＬディスプレイは、有機ＥＬ素子１の特性変動に加え、画素回路を構成するｎチャネル型ＴＦＴの閾値電圧も経時的に変化する。前述の式１から明らかな様に、駆動トランジスタＴｄの閾値電圧Ｖｔｈが変動すると、ドレイン電流Ｉｄｓが変化してしまう。これにより、ＥＬ素子に流れる電流量が変化し、その結果発光輝度は変化してしまう。また、画素ごとに駆動トランジスタＴｄの閾値、移動度は異なっているため、式１に応じて、電流値にバラツキが生じ、発光輝度も画素ごとに変化してしまう。
【手続補正３】
【補正対象書類名】明細書
【補正対象項目名】００３６
【補正方法】変更
【補正の内容】
【００３６】
つまり、各フレーム期間において、画素回路１０に信号値（階調値）Ｖｓｉｇが保持容量Ｃｓに書き込まれる動作が行われるが、これにより表示すべき階調に応じて駆動トランジスタＴｄのゲート・ソース間電圧Ｖｇｓが決まる。
駆動トランジスタＴｄは飽和領域で動作することで有機ＥＬ素子１に対して定電流源として機能し、ゲート・ソース間電圧Ｖｇｓに応じた電流Ｉｄｓを有機ＥＬ素子１に流す。これによって有機ＥＬ素子１では、階調値に応じた輝度の発光が行われる。
【手続補正４】
【補正対象書類名】明細書
【補正対象項目名】００５８
【補正方法】変更
【補正の内容】
【００５８】
時点ｔ１〜ｔ３の期間に、駆動トランジスタＴｄのゲート・ソース間電圧Ｖｇｓの初期化が行われる。
時点ｔ１では、水平セレクタ１１によって信号線ＤＴＬが基準値Ｖｏｆｓの電位とされている。この信号線ＤＴＬが基準値Ｖｏｆｓの電位とされている期間に、走査パルスＷＳをＨレベルとし、サンプリングトランジスタＴｓをオンとする。すると、図７（ｃ）のように、駆動トランジスタＴｄのゲートに基準値Ｖｏｆｓが印加され、ゲート電圧＝Ｖｏｆｓとなる。有機ＥＬ素子１のアノードは初期電圧Ｖｓｓのままである。
このとき、駆動トランジスタＴｄのゲート・ソース間電圧は、閾値電圧Ｖｇｓ以上に十分に大きい状態となる。
【手続補正５】
【補正対象書類名】明細書
【補正対象項目名】００７９
【補正方法】変更
【補正の内容】
【００７９】
時点ｔ１３〜ｔ１５の期間に、駆動トランジスタＴｄのゲート・ソース間電圧Ｖｇｓの初期化が行われる。
時点ｔ１３では、水平セレクタ１１によって信号線ＤＴＬが基準値Ｖｏｆｓの電位とされている。この信号線ＤＴＬが基準値Ｖｏｆｓの電位とされている期間に、走査パルスＷＳをＨレベルとし、サンプリングトランジスタＴｓをオンとする。すると、駆動トランジスタＴｄのゲートに基準値Ｖｏｆｓが印加され、ゲート電圧＝Ｖｏｆｓとなる。有機ＥＬ素子１のアノードは初期電圧Ｖｓｓとなる（上記図７（ｃ）と同様）。
このとき、駆動トランジスタＴｄのゲート・ソース間電圧は、閾値電圧Ｖｇｓ以上に十分に大きい状態となる。
【手続補正６】
【補正対象書類名】図面
【補正対象項目名】図１０
【補正方法】変更
【補正の内容】
【図１０】
2010266493.tif 000001